(57)【要約】【課題】アドバンストコンテンツのプレイリストが読み取れなかった場合であっても、その光ディスクに記録されているビデオオブジェクトを読み取って再生することができる光ディスク再生装置を提供する。【解決手段】本発明に係る光ディスク再生装置は、複数のビデオオブジェクトとその再生順序を定義する順序定義データとが記録され、順序定義データを最初に読み取ってから複数のビデオオブジェクトを再生するように規定されている光ディスクを再生する光ディスク再生装置において、複数のビデオオブジェクトと順序定義データを読み取るデータ読取部と、ビデオオブジェクトからＡＶデータを抽出して再生する再生部と、ＡＶデータの再生を制御する再生制御部と、を備え、順序定義データが読み取れなかった場合であってもデータサイズの最も大きなビデオオブジェクトを読み取って再生する、ことを特徴とする。【選択図】  図１
2009158037.tif 000002
【特許請求の範囲】
【請求項１】
複数のビデオオブジェクトと前記複数のビデオオブジェクトの再生順序を定義する順序定義データとが記録され、前記順序定義データを最初に読み取ってから前記複数のビデオオブジェクトを再生するように規定されている光ディスクを再生する光ディスク再生装置において、
前記光ディスクにアクセスして前記複数のビデオオブジェクトと前記順序定義データを読み取るデータ読取部と、
前記ビデオオブジェクトからビデオデータ及びオーディオデータの少なくとも一方を含むＡＶデータを抽出して再生する再生部と、
前記ＡＶデータの再生を制御する再生制御部と、
を備え、
前記データ読取部は、
前記順序定義データが読み取れなかった場合であっても前期複数のビデオオブジェクトの中からデータサイズの最も大きなビデオオブジェクトを読み取り、
前記再生制御部は、
前記データサイズの最も大きなビデオオブジェクトを再生するように制御する、
ことを特徴とする光ディスク再生装置。
【請求項２】
前記データ読取部は、
前記データサイズの最も大きなビデオオブジェクトを読み取った後、それ以外のビデオオブジェクトの中からデータサイズの大きな順にビデオオブジェクトを読み取り、
前記再生制御部は、
前記データサイズの最も大きなビデオオブジェクトを再生するように制御した後、それ以外のビデオオブジェクトの中からデータサイズの大きな順にビデオオブジェクトを再生するように制御する、
ことを特徴とする請求項１に記載の光ディスク再生装置。
【請求項３】
前記光ディスクは、ＨＤ  ＤＶＤのアドバンストコンテンツ規格に基づいて前記ビデオオブジェクトが記録されている光ディスクであり、
前記順序定義データは、プレイリストである、
ことを特徴とする請求項１に記載の光ディスク再生装置。
【請求項４】
複数のビデオオブジェクトと前記複数のビデオオブジェクトの再生順序を定義する順序定義データとが記録され、前記順序定義データを最初に読み取ってから前記複数のビデオオブジェクトを再生するように規定されている光ディスクを再生する光ディスク再生方法において、
（ａ）前記光ディスクにアクセスして前記複数のビデオオブジェクトと前記順序定義データを読み取り、
（ｂ）前記ビデオオブジェクトからビデオデータ及びオーディオデータの少なくとも一方を含むＡＶデータを抽出して再生し、
（ｃ）前記ＡＶデータの再生を制御する、
ステップを備え、
ステップ（ａ）では、
前記順序定義データが読み取れなかった場合であっても前期複数のビデオオブジェクトの中からデータサイズの最も大きなビデオオブジェクトを読み取り、
ステップ（ｃ）では、
前記データサイズの最も大きなビデオオブジェクトを再生するように制御する、
ことを特徴とする光ディスク再生方法。
【請求項５】
（ｄ）前記データサイズの最も大きなビデオオブジェクトを読み取った後、それ以外のビデオオブジェクトの中からデータサイズの大きな順にビデオオブジェクトを読み取り、
（ｅ）前記データサイズの最も大きなビデオオブジェクトを再生するように制御した後、それ以外のビデオオブジェクトの中からデータサイズの大きな順にビデオオブジェクトを再生するように制御する、
ステップをさらに備えたことを特徴とする請求項４に記載の光ディスク再生方法。
【請求項６】
前記光ディスクは、ＨＤ  ＤＶＤのアドバンストコンテンツ規格に基づいて前記ビデオオブジェクトが記録されている光ディスクであり、
前記順序定義データは、プレイリストである、
ことを特徴とする請求項４に記載の光ディスク再生方法。
【発明の詳細な説明】
【技術分野】
【０００１】
本発明は、光ディスク再生装置及び光ディスク再生方法に係り、特に、高精細ビデオを記録可能な光ディスクを再生する光ディスク再生装置及び光ディスク再生方法に関する。
【背景技術】
【０００２】
近時、高精細ビデオ（ＨＤビデオ：High  Definition  Video）が記録された光ディスク、例えばＨＤ  ＤＶＤが市場に出回り始め、ＨＤ  ＤＶＤ等を再生する光ディスク再生装置も普及してきている。
【０００３】
高精細かつ高品質なビデオ・オーディオコンテンツの記録再生に関するアプリケーション規格としてＨＤ  ＤＶＤビデオ規格がある。ＨＤ  ＤＶＤビデオ規格は、従来のＤＶＤビデオ規格を発展させた規格であり、ビデオの解像度を向上させているだけでなく、表示・再生可能なビデオやオーディオの種類が多様化され、またインターネットとの親和性も高い規格となっている。
【０００４】
ＨＤ  ＤＶＤビデオ規格は、特許文献１等に開示されているように、アドバンストコンテンツ（advanced  contents）とスタンダードコンテンツ（standard  contents）の２種類の規格から構成されている。コンテンツ制作者は、いずれか一方の規格を選択してコンテンツを制作することができる。一方、ＨＤ  ＤＶＤビデオ規格に適合する光ディスク再生装置では、アドバンストコンテンツ規格に基づく光ディスクとスタンダードコンテンツ規格に基づく光ディスクのいずれでも再生できるように義務付けられている。
【０００５】
スタンダードコンテンツは、従来のＤＶＤビデオ規格を拡張したものである。従来のＤＶＤ規格と同様に、メインビデオ（ビデオ）、メインオーディオ（オーディオ）、及び字幕等のサブピクチャーが再生可能であるが、夫々のコンテンツに対して機能や性能の向上が図られている。また、再生を制御するナビゲーションコマンドが拡張され、コンテンツ制作上の自由度が増している。
【０００６】
一方、アドバンストコンテンツは、ＨＤ  ＤＶＤビデオ規格において新たに設けられた規格である。スタンダードコンテンツが有する拡張されたメインビデオ、メインオーディオ、及びサブピクチャーに加え、サブビデオやサブオーディオをサポートする規格となっている。メインビデオやメインオーディオと共にサブビデオやサブオーディオを再生することが可能であり、２つの動画（メインビデオとサブビデオ）を重ねたPicture-In-Pictureのようなアプリケーションを実現することができる。
【０００７】
アドバンスドコンテンツは、プレイリスト（Playlist）と呼ばれる最も基本的な制御データと、プライマリビデオセット（Primary  Video  Set）、セカンダリビデオセット（Secondary  Video  Set）、アプリケーション（Advanced  Application）、及びアドバンストサブタイトル（Advanced  Subtitle）の４種類のオブジェクトを有している。これら４種類のオブジェクトはいずれもプレイリストから参照されるオブジェクトであり、プレゼンテーションオブジェクトとも呼ばれる。
【０００８】
プライマリビデオセットとセカンダリビデオセットはいずれも映画等のオーディオビデオデータの集合体であるが、プライマリビデオセットは光ディスクから直接再生されることを前提としたビデオオブジェクトである。
【０００９】
これに対して、セカンダリビデオセットはより汎用的であり、光ディスク以外にもネットワーク上のサーバやパーシスタントストレージ（Persistent  Storage）と呼ばれる補助記憶装置にも記録することができる。各記憶場所から直接再生するだけでなく、一旦再生装置にダウンロードして再生することもできる。
【００１０】
アプリケーションは、上記のプライマリビデオセットやセカンダリビデオセットの再生制御、JPEG、PNG等の画像や効果音の再生制御、各種のフォントデータを用いたテキストデータの表示、ユーザ入力の制御等を行うことができるプレセンテーションオブジェクトである。
【００１１】
また、アドバンストサブタイトルは、字幕表示に特化されたアプリケーションである。
【特許文献１】特開２００７−１７２７６３号公報
【発明の開示】
【発明が解決しようとする課題】
【００１２】
プレイリストは上記の４種類のプレゼンテーションオブジェクトの再生制御とシステムの初期設定を行うためのＸＭＬ形式のデータであり、前述したようにアドバンストコンテンツを再生するための基本情報である。
【００１３】
プレイリストでは、４種類のプレゼンテーションオブジェクトの再生開始時刻と終了時刻を与え、タイトルタイムラインと呼ばれる時間軸に夫々のオブジェクトを配置することによって再生順序を定義している。
【００１４】
通常、光ディスクを再生装置に挿入すると最初に光ディスクの識別情報を読み取る。このとき、その光ディスクがドバンストコンテンツによって記録されている光ディスクであると判定されると、次にプレイリストを読み出して、再生すべきオブジェクトのファイルを特定し、再生する順番を決定する。
【００１５】
従って、プレイリストが読み取れなかった場合には再生すべきオブジェクトのファイルを特定することができない。このため、従来の光ディスク再生装置では、プレイリストのデータが光ディスク上の傷や汚れ等によって読み取れなかった場合には、その段階で再生処理が停止されることになっていた。従って、たとえ再生対象のオブジェクト、例えばプライマリビデオセットに含まれるビデオオブジェクトのデータが正常であったとしても、プレイリストが読み取れなかった場合には全くビデオを再生することができない事態が発生しうることになる。
【００１６】
特に、光ディスク再生装置が車載を前提とするもであったり、屋外での使用を前提とするものであったりした場合には、光ディスクの保管環境や取り扱い環境は室内使用に比べると相当劣悪な状態が想定される。このため、光ディスクに傷や汚れがつきやすく、プレイリストが読めなくなる可能性は高くなる。
【００１７】
本発明は、上記事情に鑑みてなされたものであり、アドバンストコンテンツが記録された光ディスクを再生する光ディスク再生装置において、プレイリストが読み取れなかった場合であっても、その光ディスクに記録されているビデオオブジェクトを読み取って再生することができる光ディスク再生装置及び光ディスク再生方法を提供することを目的とする。
【課題を解決するための手段】
【００１８】
上記課題を解決するため、本発明に係る光ディスク再生装置は、請求項１に記載したように、複数のビデオオブジェクトと前記複数のビデオオブジェクトの再生順序を定義する順序定義データとが記録され、前記順序定義データを最初に読み取ってから前記複数のビデオオブジェクトを再生するように規定されている光ディスクを再生する光ディスク再生装置において、前記光ディスクにアクセスして前記複数のビデオオブジェクトと前記順序定義データを読み取るデータ読取部と、前記ビデオオブジェクトからビデオデータ及びオーディオデータの少なくとも一方を含むＡＶデータを抽出して再生する再生部と、前記ＡＶデータの再生を制御する再生制御部と、を備え、前記データ読取部は、前記順序定義データが読み取れなかった場合であっても前期複数のビデオオブジェクトの中からデータサイズの最も大きなビデオオブジェクトを読み取り、前記再生制御部は、前記データサイズの最も大きなビデオオブジェクトを再生するように制御する、ことを特徴とする。
【００１９】
また、本発明に係る光ディスク再生方法は、請求項４に記載したように、複数のビデオオブジェクトと前記複数のビデオオブジェクトの再生順序を定義する順序定義データとが記録され、前記順序定義データを最初に読み取ってから前記複数のビデオオブジェクトを再生するように規定されている光ディスクを再生する光ディスク再生方法において、（ａ）前記光ディスクにアクセスして前記複数のビデオオブジェクトと前記順序定義データを読み取り、（ｂ）前記ビデオオブジェクトからビデオデータ及びオーディオデータの少なくとも一方を含むＡＶデータを抽出して再生し、（ｃ）前記ＡＶデータの再生を制御する、ステップを備え、ステップ（ａ）では、前記順序定義データが読み取れなかった場合であっても前期複数のビデオオブジェクトの中からデータサイズの最も大きなビデオオブジェクトを読み取り、ステップ（ｃ）では、前記データサイズの最も大きなビデオオブジェクトを再生するように制御する、ことを特徴とする。
【発明の効果】
【００２０】
本発明に係る光ディスク再生装置及び光ディスク再生方法によれば、アドバンストコンテンツが記録された光ディスクを再生する光ディスク再生装置において、プレイリストが読み取れなかった場合であっても、その光ディスクに記録されているビデオオブジェクトを読み取って再生することができる。
【発明を実施するための最良の形態】
【００２１】
本発明に係る光ディスク再生装置の実施形態について、添付図面を参照して説明する。
【００２２】
（１）光ディスク再生装置の構成
図１は、本実施形態に係る光ディスク再生装置１の構成例を示すブロック図である。光ディスク再生装置１は、光ディスクドライブ１０、補助記憶部２０、読取部３０、ファイルキャッシュ部４０、再生制御部５０、再生部６０等を備えて構成されている。また、再生部６０は、プレゼンテーションエンジン部７０、ＡＶレンダラー部８０を有している。
【００２３】
光ディスクドライブ１０は、読取部３０からの指示によって、光ディスク１００に記録されたデータを読み取り、誤り訂正等の処理を行った後、読取部（Data  Access  Manager）３０に出力する。読取部３０は、光ディスクドライブに対して読み取るデータの種類やデータのアドレス等の指示を与える。
【００２４】
補助記憶部（Persistent  Storage）２０は、光ディスク再生装置１が内蔵する記憶デバイスであり、記憶デバイスの種類や容量は特に限定されない。例えばＨＤＤ（Hard  Disk  Drive）でも良いし、フラッシュメモリ等を有するＵＳＢメモリでも良い。補助記憶部２０は、コンテンツ自身が何らかのデータを記録させておくためのデバイスであり、例えば、あるコンテンツが記録したデータを別のコンテンツが参照したり、或いはあるコンテンツが記録したデータを別のコンテンツが自由に書き換えたりすることができる。補助記憶２０に対するアクセスは読取部３０を介して行われる。
【００２５】
光ディスク再生装置１では、コンテンツをネットワークサーバ１１０から取得することもできる。この場合にも、ネットワークサーバ１１０へのアクセスは読取部３０を介して行われる。
【００２６】
ファイルキャッシュ部４０は、ネットワークサーバ１１０からダウンロードしたデータ等を一時的に保存するデバイスとして利用される。
【００２７】
再生制御部（Navigation  Manager）５０は、アドバンストコンテンツ（Advanced  Contents）に含まれるマークアップやスクリプトと呼ばれる制御データを読み込んで再生部６０の制御や光ディスク再生装置１の各部の制御を行っている。また、リモートコントローラ（図示せず）等の操作デバイスから入力されるユーザ操作情報を読み取り、再生すべきコンテンツの特定や、再生の開始、停止、早送り等の制御を行っている。
【００２８】
再生部６０のプレゼンテーションエンジン部７０は、アドバンストコンテンツのビデオオブジェクト（EVOB）に含まれているメインビデオ、サブビデオ、メインオーディオ、サブオーディオ、サブピクチャー等のパケットから時間的に連続したストリームを生成し、ストリーム毎にデコード処理を行っている。
【００２９】
再生部６０のＡＶレンダラー部８０では、デコード処理によって生成されるメインビデオ、サブビデオ、サブピクチャーの各画像プレーンや、カーソル画像プレーン、グラフィックス画像プレーンを重ね合わせて一枚の合成画像プレーンを生成し、この合成画像プレーンをビデオ信号として外部のＴＶディスプレイ装置（図示せず）等に出力している。
【００３０】
また、ＡＶレンダラー部８０では、メインオーディオやサブオーディオ等のオーディオ信号の合成（ミキシング）も行っており、合成されたオーディオ信号を外部のスピーカ装置（図示せず）等に出力している。
【００３１】
本実施形態に係る光ディスク再生装置１では、ＨＤ  ＤＶＤビデオ規格に基づく光ディスクの他、ＣＤや従来型のＤＶＤも再生可能である。また、ＨＤ  ＤＶＤ規格に基づく光ディスクは、スタンダードコンテンツのみが記録されているカテゴリ１、アドバンスドコンテンツのみが記録されているカテゴリ２、及びスタンダードコンテンツとアドバンストコンテンツの双方が記録されたカテゴリ３に分類することができる。
【００３２】
図１に示した構成例は、光ディスク再生装置１の構成のうち、アドバンストコンテンツの再生のために必要な構成例を取り出して図示したものであり、再生対象となる光ディスク１００は、主にカテゴリ２とカテゴリ３の光ディスクとなる。
【００３３】
本実施形態に係る光ディスク再生装置１は、アドバンストコンテンツの再生に特徴があり、以下の説明では主にアドバンストコンテンツの内容とその再生方法について重点的に説明する。
【００３４】
図２は、アドバンストコンテンツの構成例を示す図である。アドバンストコンテンツは、プレイリスト（順序定義データ）と呼ばれる基本的な制御データと、４種類のプレゼンテーションオブジェクトと呼ばれるオブジェクトから構成されている。４種類のプレゼンテーションオブジェクトは、夫々、プライマリビデオセット（Primary  Video  Set）、セカンダリビデオセット（Secondary  Video  Set）、アプリケーション（Advanced  Application）、アドバンストサブタイトル（Advanced  Subtitle）と呼ばれている。これら４種類のプレゼンテーションオブジェクトはいずれもプレイリストから参照される。
【００３５】
プライマリビデオセットは、１つの管理データ（VTSI）と、複数の対になったプライマリビデオオブジェクト（P-EVOB）とタイムマップ（TMAP）とから構成されている。
【００３６】
管理データ（VTSI）は、ディスク上の総てのプライマリビデオオブジェクト（P-EVOB）の属性情報が記録されており、プライマリビデオオブジェクト（P-EVOB）を再生する前に管理データ（VTSI）を読み込み、再生部６０に対する設定を行うことができる。
【００３７】
タイムマップ（TMAP）は、プライマリビデオオブジェクト（P-EVOB）のランダムアクセスを行うために必要な情報であり、プライマリビデオオブジェクト（P-EVOB）の先頭からの再生時刻を、プライマリビデオオブジェクト（P-EVOB）を格納したファイル内のアドレスに変換するためのテーブルである。
【００３８】
プライマリビデオオブジェクト（P-EVOB）は、コンテンツの中身が記録されているデータであり、詳しくは後述する。
【００３９】
セカンダリビデオセットは、複数の対になったセカンダリビデオオブジェクト（S-EVOB）とタイムマップ（TMAP）とから構成されている。セカンダリビデオオブジェクト（S-EVOB）は、プライマリビデオオブジェクト（P-EVOB）と同様に、コンテンツの中身が記録されているデータである。また、セカンダリビデオセットのタイムマップ（TMAP）もプライマリビデオセットのタイムマップと同様にセカンダリビデオオブジェクト（S-EVOB）のランダムアクセスを行うために必要な情報である。セカンダリビデオセットには独立した管理データ(VTSI)のファイルは存在しないが、管理情報はタイムマップの一部に含まれている。
【００４０】
プライマリビデオセットは光ディスク１００に記録されており、ディスクから直接再生することを前提としたビデオオブジェクトである。これに対して、セカンダリビデオセットはより汎用的であり、ネットワークサーバ１１０や補助記憶部３０に記録することができる。そして、ネットワークサーバ１１０や補助記憶部３０から直接再生することもできるし、一旦ファイルキャッシュ部４０等にダウンロードしてから再生することもできる。
【００４１】
アプリケーションは、マニフェスト、マークアップ、及びスクリプトと呼ばれる制御データを有しており、これらの制御データによって前述したプライマリビデオセットやセカンダリビデオセットの再生制御を行っている。
【００４２】
また、アプリケーションは、JPEGやPNG形式等の画像データ、効果音、フォントをその構成要素として有しており、これらの画像データ、効果音、フォントをビデオ出力やオーディオ出力に重ねて合成することができる。
【００４３】
アドバンストサブタイトルは字幕の表示に特化したアプリケーションであり、字幕表示用の画像やフォントを構成要素として有する他、これらの表示を制御するマニフェスト、マークアップ、及びスクリプトの各制御データを備えている。
【００４４】
（２）プライマリビデオセットの再生
前述したように、プライマリビデオセットは、ディスクから直接再生することを前提としたビデオオブジェクトの集合である。
【００４５】
図３は、プライマリビデオセットの細部構成例を示す図であり、複数の対のプライマリビデオオブジェクト（以下、単にビデオオブジェクト（EVOB）と呼ぶ）とタイムマップ（TMAP）を有している。図３に示した例では、５つのビデオオブジェクト（#１〜#5）（EVOB#1〜EVOB#5）とこれらと対になる５つのタイムマップ（#１〜#5）（TMAP#1〜TMAP#5）を有している。
【００４６】
管理データ（VTSI）には、夫々のビデオオブジェクト（EVOB#1〜EVOB#5）の識別情報（ファイル名等）やデータサイズ等の属性情報が記録されている。
【００４７】
各ビデオオブジェクトの中身（コンテンツ）や種類、データサイズはコンテンツ制作者によって決定されるものである。例えば、１枚の光ディスク１００に１本の映画を記録しても良いし、２本以上の映画を記録しても良い。この場合、一般的には、各映画のタイトル毎にビデオオブジェクト（EVOB）が生成される。
【００４８】
また、１枚の光ディスク１００に１本の映画を記録する場合であっても、映画の本編、映画の撮影状況等を記録した特別編、近々リリースされるビデオの予告編、制作スポンサー会社のコマーシャル編等が１枚の光ディスク１００に記録されている場合も多い。このように本編のコンテンツと本編以外の複数のコンテンツが１枚のディスクに記録される場合にも、夫々のコンテンツに対してビデオオブジェクト（EVOB）を１つずつ割り付ける形態が一般的である。このような場合、通常は映画の本編の再生時間が最も長く、映画の本編に対応するビデオオブジェクト（EVOB）のデータサイズは最も大きくなる。
【００４９】
図３において、各ビデオオブジェクト（EVOB）のボックスの大きさが異なっているのは、夫々のビデオオブジェクト（EVOB）のコンテンツによってデータサイズが異なってくることを例示している。
【００５０】
各ビデオオブジェクト（EVOB）は、プログラムストリーム（MPEG-PS）に則っており、メインビデオストリーム、サブビデオストリーム、メインオーディオストリーム、サブオーディオストリーム、サブピクチャーストリーム、及びアドバンストストリームといったストリームから構成されている。夫々のストリームは上記の順に、VM_PCK、VS_PCK、AM_PCK、AS_PCK、SP_PCK、及びADV_PCKと呼ばれる６種類のパック（Pack：2,048バイトのデータ）から構成されている。この他、制御情報を格納するためのNV_PCKと呼ばれるパックがある。
【００５１】
図３の最下段には、各ビデオオブジェクト（EVOB）の構造例を示している。各ビデオオブジェクト（EVOB）は、上記の６種類のパックとNV_PCKの配列によって構成されており、NV_PCKは各ビデオオブジェクト（EVOB）の先頭に配置されるよう規定されている。
【００５２】
再生部６０のプレゼンテーションエンジン部７０では、上記の６種類のパックから同種のパックを抽出し、メインビデオストリーム、サブビデオストリーム、メインオーディオストリーム、サブオーディオストリーム、サブピクチャーストリーム、及びアドバンストストリームの各ストリームを生成している。
【００５３】
ところで、上記の各ビデオオブジェクト（EVOB）は、その配列順に再生されるわけではなく、プレイリストで定義された順序で再生される。
【００５４】
図４はこの動作概念を例示する図である。プレイリストには各ビデオオブジェクト（EVOB）の再生順序を定義するための順序定義データとして、各ビデオオブジェクト（EVOB）の再生時刻と終了時刻のデータが記述されている。プレイリストは、この順序定義データによって、タイムラインと呼ばれる時間軸上に各ビデオオブジェクト（EVOB）を配置している。このタイムライン上への配置をオブジェクトマッピングと呼んでいる。
【００５５】
図４に示した例では、最初にビデオオブジェクト#4（EVOB#4）を再生し、次にビデオオブジェクト#3（EVOB#3）を再生する。続いて、ビデオオブジェクト#1（EVOB#1）、ビデオオブジェクト#5（EVOB#5）、ビデオオブジェクト#2（EVOB#2）が順次再生されるようにオブジェクトマッピングが行われている。
【００５６】
このように、プレイリストはビデオオブジェクトの再生順序を決定する重要なデータであるため、アドバンストコンテンツを再生する場合には、プレイリストが光ディスクから最初に読み込まれる。
【００５７】
図５は、従来から行われている再生手順の一例を示すフローチャートである。ステップＳＴ１０１にて光ディスクが再生装置に挿入されると、まずその光ディスクの識別情報を読み出す（ステップＳＴ１０２）。
【００５８】
挿入された光ディスクがＨＤ  ＤＶＤ規格に基づくディスクであるか否かの判定を行う（ステップＳＴ１０３）。ＨＤ  ＤＶＤ規格以外の光ディスク（例えば、従来型のＤＶＤ）の場合には、その光ディスクの制御データに基づく設定によって再生する（ステップＳＴ１１０）。
【００５９】
挿入された光ディスクがＨＤ  ＤＶＤ規格に基づくディスクである場合には、さらにその識別情報からカテゴリの識別を行う（ステップＳＴ１０４、１０８）。
【００６０】
光ディスクがカテゴリ１のディスクである場合には、その光ディスクには、スタンダードコンテンツのみが記録されている。そこで、スタンダードコンテンツの制御データに基づく設定によって再生する（ステップＳＴ１０９）。
【００６１】
一方、光ディスクがカテゴリ２又はカテゴリ３のディスクである場合には、その光ディスクには、アドバンストコンテンツが記録されていることになる。この場合には、ステップＳＴ１０５〜１０７のアドバンストコンテンツの再生処理に移行する。
【００６２】
まず、ステップＳＴ１０５にて、光ディスク上のプレイリストを読み込む。次に読み込んだプレイリストの記述に従って、プライマリビデオセットの各ビデオオブジェクト（EVOB）をタイムラインに配置する。即ち、オブジェクトマッピングを行う（ステップＳＴ１０６）。
【００６３】
その後、タイムラインに従って、各ビデオオブジェクト（EVOB）を順に再生していく（ステップＳＴ１０７）。
【００６４】
ところで、従来の再生方法では、ステップＳＴ１０５にてプレイリストが正常に読み取れなかった場合には、それ以降の処理を行うことなく再生を終了していた。プレイリストが記録されている光ディスク上の領域に傷が生じ、或いは汚れが付着した場合等にはプレイリストが正常に読み取れなくなる可能性がある。このような場合、仮にビデオオブジェクト（EVOB）が記録されている領域に傷や汚れがなく、正常な読み取りが可能であったとしても、ビデオオブジェクト（EVOB）を読み取りに行くことなく再生処理を終了していた。
【００６５】
本実施形態に係る光ディスク再生装置１ではこの点を改良し、プレイリストが正常に読み取れなかった場合であってもビデオオブジェクト（EVOB）の読み取りを行い、読み取ったビデオオブジェクト（EVOB）を再生する処理としている。
【００６６】
図６は、本実施形態に係る光ディスク再生装置１における光ディスク再生装置１００の読み取り処理の一例を示すフローチャートである。
【００６７】
光ディスクが光ディスク再生装置１に挿入されると（ステップＳＴ１）、光ディスクに記録されている識別情報の読み出しを行う（ステップＳＴ２）。
【００６８】
この識別情報によって、光ディスクがＨＤ  ＤＶＤのアドバンストコンテンツに基づくディスクであるか否かを判定する（ステップＳＴ３）。従来型のＤＶＤやカテゴリ１のＨＤ  ＤＶＤの場合にはその光ディスクにはアドバンストコンテンツが記録されていないため、ステップＳＴ１０へ進み、夫々の光ディスクで規定されている所定の再生手順に従って再生を行う。
【００６９】
一方、ＨＤ  ＤＶＤのカテゴリ２又は３の場合には、その光ディスクにはアドバンストコンテンツが記録されている。そこで、この場合にはプレイリストの読み込みを行う（ステップＳＴ４）。
【００７０】
プレイリストが正常に読み込めた場合には、従来の再生方法と同様に、プレイリストによってタイムライン上にオブジェクトマッピングを行い、プレイリストで定義されている再生順序に従って、各ビデオオブジェクト（EVOB）を再生する（ステップＳＴ６）。
【００７１】
一方、本実施形態に係る光ディスク再生装置１では、プレイリストが正常に読み込めなかった場合でもあってもここで再生処理を停止することなく、ビデオオブジェクト（EVOB）の再生処理に進む。
【００７２】
まず、ステップＳＴ７で光ディスク上のプライマリビデオセット(P-EVOBS)の検索を行う。さらに、プライマリビデオセット(P-EVOBS)の中から、最もデータサイズの大きなビデオオブジェクト（EVOB）を特定し読み込む（ステップＳＴ８）。ステップＳＴ７、８の処理は、光ディスク再生装置１の読取部３０等が行う。プライマリビデオセット(P-EVOBS)の中には、各ビデオオブジェクト（EVOB）の属性情報が記録された管理データ（VTSI）が存在する。読取部３０は、例えばこの管理データ（VTSI）を参照することによって最もデータサイズの大きなビデオオブジェクト（EVOB）を特定し読み出すことができる。また、各ビデオオブジェクト（EVOB）の開始アドレスと終了アドレスを順次検索し、得られた各データサイズから最もデータサイズの大きなビデオオブジェクト（EVOB）を特定するようにしてもよい。
【００７３】
その後、読み込んだ最もデータサイズの大きなビデオオブジェクト（EVOB）を、再生制御部５０の制御の下で、再生部６０にて再生する（ステップＳＴ９）。
【００７４】
前述したように、ビデオオブジェクト（EVOB）のデータサイズはそのビデオオブジェクト（EVOB）のコンテンツの記録時間に依存する。従って、例えば映画の本編、映画の撮影状況等を記録した特別編、近々リリースされるビデオの予告編、制作スポンサー会社のコマーシャル編等がそれぞれビデオオブジェクト（EVOB）に分割されて記録されている場合には、データサイズの最も大きなビデオオブジェクト（EVOB）が映画の本編に該当する可能性が高い。
【００７５】
そこで、本実施形態に係る光ディスク再生装置１では、例えプレイリストが読み込めない場合であっても、複数のビデオオブジェクト（EVOB）の中から最もデータサイズの大きなビデオオブジェクト（EVOB）を読み込んで再生するようにしている。この結果、その光ディスクに含まれるコンテンツの中で最も重要なコンテンツ、例えば、映画の本編を再生することが可能となる。
【００７６】
なお、ステップＳＴ９にて、最もデータサイズの大きなビデオオブジェクト（EVOB）の再生が終了した時点で、２番目にデータサイズの大きなビデオオブジェクト（EVOB）を光ディスクから読み出して再生を継続するようにしてもよい。さらに、３番目、４番目とデータサイズの大きなビデオオブジェクト（EVOB）から順次再生するようにしても良い。この再生方法は、コンテンツ制作者が意図した再生順序（プレイリストに定義されている再生順序）とは必ずしも一致しない可能性があるものの、プレイリストが読み込めなかった場合でも光ディスクに記録された各コンテンツをデータサイズの大きな順から再生し視聴することが可能である。
【００７７】
以上説明してきたように、本実施形態に係る光ディスク再生装置１及び光ディスク再生方法によれば、アドバンストコンテンツが記録された光ディスクを再生する場合において、プレイリストが読み取れなかったとしても、その光ディスクに記録されているビデオオブジェクトを読み取って再生することができる。
【００７８】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００７９】
【図１】本発明の一実施形態に係る光ディスク再生装置の構成例を示すブロック図。
【図２】光ディスク再生装置で再生するアドバンストコンテンツの構成例を示す図。
【図３】アドバンストコンテンツのデータ構造の一例を示す図。
【図４】プレイリストによる、各ビデオオブジェクト（EVOB）のタイムライン上への配置動作（オブジェクトマッピング）の説明図。
【図５】アドバンストコンテンツの再生手順（従来例）を示すフローチャート。
【図６】本実施形態に係るアドバンストコンテンツの再生手順を示すフローチャート。
【符号の説明】
【００８０】
１  光ディスク再生装置
１０  光ディスクドライブ
２０  補助記憶部
３０  読取部
４０  ファイルキャッシュ部
５０  再生制御部
６０  再生部
７０  プレゼンテーションエンジン部
８０  ＡＶレンダラー部
【図１】
2009158037.tif 000003
【図２】
2009158037.tif 000004
【図３】
2009158037.tif 000005
【図４】
2009158037.tif 000006
【図５】
2009158037.tif 000007
【図６】
2009158037.tif 000008